(57)【要約】【課題】シェードの角部が対向する方向にも十分な光量の照明光を配光することができる角形照明器具を提供する。【解決手段】  支持体１の支持部材１１は、シェード３と等しい正方形の平面形状を呈し、前面にシェード１１より小さい相似形の正方形の環状を呈する光源位置１１１を有している。光源位置１１１には、４枚の基板２１が固定される。基板２１の表面には複数のＬＥＤ２３が２条に実装されており、光源位置１１１には、内外２条の環状に複数のＬＥＤ２３が配列される。外側の角部に位置する複数のＬＥＤ２３の間隔は、他の部分に位置する複数のＬＥＤ２３の間隔よりも短くされており、単位長さ当りのＬＥＤ２３の配置数は角部において他の部分よりも多くされている。【選択図】図３
2015106433.tif 000002
【特許請求の範囲】
【請求項１】
光源と、少なくとも１つの角部を有する平面形状を呈する支持体及びシェードと、を備え、
前記支持体は、前面に前記光源を支持し、
前記シェードは、前記支持体の前面を被覆するように、前記支持体に着脱自在に取り付けられ、
前記光源は、互いの間に間隔を設けて配置された複数のＬＥＤで構成され、
前記複数のＬＥＤは、前記支持体の平面形状より小さい相似形を呈する光源位置に、前記光源位置の角部において他の部分よりも短い間隔で配置された角形照明装置。
【請求項２】
前記支持体は、前記光源位置の角部に対向する背面が外部に露出するように取り付けられる請求項１に記載の角形照明装置。
【請求項３】
前記光源は、前記複数のＬＥＤの照射面側を被覆するレンズを有し、
前記レンズは、前記光源位置の角部に位置する部分に拡散部が形成されている請求項１又は２に記載の角形照明装置。
【発明の詳細な説明】
【技術分野】
【０００１】
この発明は、ＬＥＤを光源として天井面や壁面に取り付けられる角形照明装置に関する。
【背景技術】
【０００２】
天井や壁に取り付けられる照明装置として、背面を天井面や壁面に密着させて取り付けられるものがある。このような照明装置では、天井面や壁面に固定される支持体の前面に光源としてのＬＥＤを支持し、支持体の前面を覆うシェードを備えている（例えば、特許文献１参照。）。シードの平面形状が円形である場合、環状の基板に複数のＬＥＤが等間隔で実装される。
【０００３】
シェードの平面形状は、円形に限るものではなく、矩形等の角形を呈するものもある。シェードの平面形状を矩形等の角形にした角形照明器具においても、従前の丸形蛍光灯にならって複数のＬＥＤを環状に配置したものがある。
【０００４】
ところが、角形照明器具において複数のＬＥＤを環状に配置すると、光源からシェードの角部までの距離が他の部分までの距離よりも長くなり、シェードの角部が他の部分よりも暗くなる。このため、例えば、平面視において正方形の室内の天井面に正方形のシェードの角形照明器具を取り付けたとしても、室内の四隅が暗くなる。
【０００５】
そこで、角形照明器具の光源にＬＥＤを用いる場合、複数のＬＥＤをシェードの平面形状と相似形に配置することが考えられる。
【先行技術文献】
【特許文献】
【０００６】
【特許文献１】特開２０１１−２２２３３６号
【発明の概要】
【発明が解決しようとする課題】
【０００７】
しかし、角形照明器具においてシェードの平面形状と相似形に複数のＬＥＤを全周にわたって等間隔に配置すると、角部付近のＬＥＤからシェードの角部までの距離が他の部分におけるＬＥＤからシェードまでの距離よりも長くなる。このため、角部以外の部分で適切な光量となるような間隔で全てのＬＥＤを配置すると、シェードの角部では対角線方向への光量が不足する。
【０００８】
この発明の目的は、シェードの角部が対向する方向にも十分な光量の照明光を配光することができる角形照明器具を提供することある。
【課題を解決するための手段】
【０００９】
この発明は、支持体、光源、シェードを備えている。支持体及びシェードは、少なくとも１つの角部を有する平面形状を呈する。支持体は、内側面に光源を支持する。シェードは、支持体の内側面を被覆する。光源は、複数のＬＥＤで構成される。複数のＬＥＤは、支持体の平面形状より小さい相似形を呈する光源位置に、互いの間に間隔を設けて配置される。複数のＬＥＤの間隔は、光源位置の角部において他の部分よりも短くされている。
【００１０】
この構成により、光源位置の角部には他の部分よりも多数のＬＥＤが配置され、シェードの角部には、単位面積当り他の部分よりも多数のＬＥＤから光が照射される。
【００１１】
この構成において、支持体は、角部で外側面が外部に直接露出するように取り付けられるように構成することが好ましい。多数のＬＥＤが配置される支持体の角部に、十分な放熱効果を得ることができる。
【００１２】
また、支持体の角部の外側面に放熱部を形成することで、多数のＬＥＤが配置される支持体の角部における放熱性をより向上させることができる。
【００１３】
さらに、光源がＬＥＤの照射面側を被覆するレンズを有する場合には、レンズの角部に拡散部を形成することが好ましい。シェードの角部に均一な光を照射することができる。
【発明の効果】
【００１４】
この発明によれば、シェードの角部が対向する方向にも十分な光量の照明光を配光することができる。
【図面の簡単な説明】
【００１５】
【図１】本発明の実施形態に係る角形照明装置の側面半断面図である。
【図２】同角形照明装置の支持板の正面図である。
【図３】同角形照明装置のレンズを省いた支持板の正面図である。
【図４】同角形照明装置の光源を構成する基板の正面図である。
【図５】同角形照明装置のシェードの取付方法を示す図である。
【発明を実施するための形態】
【００１６】
以下に、この発明の実施形態に係る角形照明装置を図面を参照しつつ説明する。
【００１７】
図１及び図２に示すように、本発明の実施形態に係る角形照明装置１０は、支持体１、光源２、シェード３を備え、一例として背面側を天井面に向けて取り付けられる。
【００１８】
支持体１は、一例としてともに金属平板のプレス加工により成形された支持部材１１及び取付部材１２からなる。支持部材１１は、正方形の略板状を呈している。取付部材１２は、支持部材１１の一辺よりも小さい径の略円筒形状を呈している。取付部材１２は、支持部材１１の背面に固定されており、内部に天井面への取付具、電源ユニット等を収納する。
【００１９】
光源２は、基板２１、レンズ２２を備え、支持部材１１の前面に略正方形の環状に形成された光源位置１１１内に配置される。したがって、光源２は、支持部材１１及びシェード３よりも小さい相似形の平面形状を呈している。基板２１は、前面に複数のＬＥＤ２３が実装されており、背面を支持部材１１の前面に密着させて固定されている。レンズ２２は、基板２１の前面側を被覆する状態で支持部材１１の前面に固定されており、複数のＬＥＤ２３の発光を拡散光として前面側に配光する。一例として、基板２１は、複数のＬＥＤ２３を平面視において内外２条に実装している。レンズ２２は、基板２１上における複数のＬＥＤ２３の実装状態に合わせて、平面視において内外２条の凸部を有している。
【００２０】
シェード３は、一例として、半透明の樹脂材料を素材として、前面視において正方形状を呈する部分球形状に形成されている。シェード３は、光源２の光を拡散光として外部に配光する。シェード３の外周部には、装飾用枠体３１が取り付けられている。シェード３は、背面側に全周にわたって形成された折り曲げ部３２の内側に、支持部材１１の前面における互いに対向する２辺の近傍に固定された固定具１３が弾性的に係合することにより、支持部材１１の前面側を被覆する状態で着脱自在に固定される。
【００２１】
図３に示すように、支持部材１１は、前面に４枚の長板状の基板２１を固定する。なお、図３は、光源１からレンズ２２を取り外した状態を示している。４枚の基板２１は、互いに同じ平面形状及び構成を有し、それぞれの長手方向が支持部材１１の正方形の４辺に平行となるように配置されている。各基板２１には複数のＬＥＤ２３が２条に配置されており、光源位置１１１に４枚の基板２１を固定することで、それぞれの基板２１のＬＥＤ２３が内外２条にわたって連続し、環状に配列される。
【００２２】
図４に示すように、基板２１の前面には、基板２１の長手方向に平行な直線状の第１配置部分２１１及び第２配置部分２１２と第１配置部分２１１の第１の端部２１１Ａに連続する円弧状の第３配置部分２１３とに、複数のＬＥＤ２３が実装されている。第１配置部分２１１、第２配置部分２１２及び第３配置部分２１３には、一例として、それぞれ２１個、２０個及び７個のＬＥＤが実装されている。第３配置部分２１３は、この発明の光源位置の角部に相当する。
【００２３】
なお、第２配置部分２１２を省略することもできる。また、第２配置部分２１２を第１配置部分２１１の内側に２条以上構成することもできる。
【００２４】
第１配置部分２１１における最も第２の端部２１１Ｂ側を除いて、第１配置部分２１１及び第２配置部分２１２で複数のＬＥＤ２３は互いの間に一定の間隔Ｄ１を設けて配置されている。間隔Ｄ１は、シェード３の各辺における中間部分での配光量が所望の光量となるように定められている。第１配置部分２１１におけるＬＥＤ２３の最も第２の端部２１１Ｂ側の間隔Ｄ２は間隔Ｄ１よりも短くされており、第３配置部分２１３におけるＬＥＤ２３の間隔Ｄ３は間隔２よりもさらに短くされている。したがって、第３配置部分２１３では、第１配置部分２１１及び第２配置部分２１２よりも高い密度でＬＥＤ２３が配置されている。このため、第３配置部分２１３が対向するシェード３の角部には、第１配置部分２１１が対向けるシェード３の各辺部分よりも単位長さ当りに多量の光が配光される。
【００２５】
シェード３の平面形状が正方形を呈するため、相似形を呈する光源２をシェード３の内側に配置した場合、平面視における光源２の角部からシェード３の角部までの距離は、光源２の各辺からシェード３の各辺までの距離に比較して長くなる。光源２を基板２１の表面に実装された複数のＬＥＤ２３で構成した場合、基板２１の表面における法線方向に比較して面方向の光量は少なくなり易い。このため、光源２の全周にわたって等間隔で複数のＬＥＤ２３を配置すると、シェード３の角部への配光量が減少し、シェード３の角部に暗部が形成される。
【００２６】
そこで、光源２の角部におけるＬＥＤ２３の配置密度を他の部分に比較して高くすることで、シェード３の角部に各辺の中間部分に匹敵する光量の光を配光できるようにし、シェード３の角部に暗部が形成されることを防止する。これによって、天井面が矩形、特に正方形の部屋に角形照明装置１０を使用することで、部屋の４隅にも十分な光量の光を配光することができる。
【００２７】
なお、レンズ２２における第３配置位置２１３に対向する部分を粗面化又は拡散シートの貼付等によって光拡散性を他の部分よりも高くすることで、シェード３の角部により十分な光量の光を配光することができる。
【００２８】
図３に示すように、支持部材１１の背面側に取り付けられる円筒形の取付部材１２の外径は、レンズ２２の各辺の長さよりも短く、平面視において基板２１における第３配置部分２１３は取付部材１２の外側に位置している。また、図１に示すように、角形照明器具１０は、支持部材１１の背面を天井面１００から離間させた状態で取り付けられる。このため、支持部材１１の背面において、第３配置部分２１３に対向する部分は、外部に露出しており、この発明の放熱部を構成している。
【００２９】
第３配置部分２１３は、複数のＬＥＤ２３が高い配置密度で存在しているため、高温になり易い。支持部材１１において前面に基板２１の第３配置部分２１３が接触している部分の背面側が露出しており、第３配置部分２１３を冷却することができる。
【００３０】
なお、支持部材１１の背面における第３配置部分２１３に対向する部分に凹凸を形成すること、ヒートシンクを設けること等により、さらに第３配置部分２１３の冷却効果を高めることもできる。
【００３１】
図５に示すように、角形照明装置１０は、支持体１に対するシェード３の取り付けに際し、シェード３の落下防止のため、支持部材１１に線状のバネ１４を片持ち支持して備えている。図２及び３にも示すように、バネ１４は、支持部材１１の２つ角部における光源位置１１１の外側から、略対角線状に延出している。
【００３２】
シェード３を支持部材１１に取り付ける際には、先ず、シェード３の折り曲げ部３２の内側にバネ１４の開放端部を係止させる。こバネ１４は、取付具１３に係止されていない状態でのシェード３の落下を防止する。
【００３３】
バネ１４は、支持部材１１の角部から、第３配置部分２１３に配置されている複数のＬＥＤ２３の配光方向に略一致する略対角線状に延出しているため、シェード３に影を作ることがなく、シェード３の美観を損なうことがない。
【００３４】
なお、上記の実施形態では、天井面に取り付けられる角形照明装置１０について説明したが、角形照明装置１０を壁面に取り付けることもできる。また、シェードは、正方形に限るものではなく、三角形、五角形以上の多角形又は周囲を２以上の直線と少なくとも１つの円弧で構成した角部を有する形状のシェードを備えるとともに、支持部材にシェードと相似形の光源位置を形成した角形照明装置にこの発明を同様に適用することができる。
【符号の説明】
【００３５】
１−支持体
２−光源
３−シェード
１１−支持部材
１２−取付部材
１１１−光源位置
２１３−第３配置部分（光源位置の角部）
【図１】
2015106433.tif 000003
【図２】
2015106433.tif 000004
【図３】
2015106433.tif 000005
【図４】
2015106433.tif 000006
【図５】
2015106433.tif 000007